(57)【要約】【課題】  端子カバーが開状態である時、端子カバーが保持なく自由に揺れ動いてしまい品位が落ちる。また、グリップベルトの余長部が接続端子を隠してしまいプラグを挿しづらい。【解決手段】  複数の接続端子と、端子カバーと、撮像装置本体を把持するためのグリップベルトと、グリップベルトを機器本体に固定するためのグリップベルト通し金具を有する電子機器であって、端子カバーは突起したリブ部を有し、グリップベルト通し金具は穴部を有し、端子カバーが開状態にある時、リブ部はグリップベルト通し金具に対して光軸方向で後方に位置し、穴部に対しては光軸方向に直交する方向で同一の位置にあるとともに、リブ部は穴部に挿入されて固定される。【選択図】  図２
2014202824.tif 000002
【特許請求の範囲】
【請求項１】
複数の接続端子と、端子カバーと、ベルトを機器の本体に固定するためのベルト通し部を有する電子機器であって、
前記端子カバーは突起したリブ部を有し、
前記ベルト通し部は穴部を有し、
前記端子カバーが開状態にある時、前記リブ部は、前記ベルト通し部に対して光軸方向で後方に位置し、前記穴部に対しては光軸方向に直交する方向で同一の位置にあるとともに、前記リブ部は前記穴部に挿入されて固定されることを特徴とする電子機器。
【請求項２】
前記リブ部の幅は前記穴部の幅より広いことを特徴とする請求項１に記載の電子機器。
【請求項３】
前記端子カバーが開保持状態において、前記リブ部は前記ベルトに当接する面を有することを特徴とする請求項１または２に記載の電子機器。
【請求項４】
前記端子カバーが開保持状態において、前記端子カバーのベルト抑え部は前記ベルトと当接することを特徴とする請求項１ないし３の何れか１項に記載の電子機器。
【請求項５】
前記端子カバーが開保持状態において、前記リブ部は前記リブ部の高さ方向にベルト通し部と当接する面を持つことを特徴とする請求項１ないし４の何れか１項に記載の電子機器。
【請求項６】
前記端子カバーが開く開保持状態において、前記電子機器は前記端子カバーに覆われた立ち壁部を有し、前記リブ部は前記立ち壁部に近接もしくは接する面を持つことを特徴とする請求項１ないし５の何れか１項に記載の電子機器。
【請求項７】
前記端子カバーが開保持状態において、前記リブ部は前記端子カバーに覆われた前記機器の外装面に近接もしくは接する面を持つことを特徴とする請求項１ないし６の何れか１項に記載の電子機器。
【請求項８】
請求項１ないし７の何れか１項の電子機器を有する撮像装置。
【発明の詳細な説明】
【技術分野】
【０００１】
本発明は外部機器との接続を行うための接続端子を覆うために構成された端子カバーを有した電子機器および撮像装置に関するものである。
【背景技術】
【０００２】
近年、デジタルビデオやデジタルカメラなどの撮像装置においては多機能化が進んでおり、外部機器と接続するための接続端子や端子カバーが設けられることが多い。これらの端子カバーは、エラストマ―等の弾性部材によって形成されることが多い。一方で、装置の小型化によってグリップベルト通し金具と接続端子が近接することが多い。
【０００３】
従来例として、特許文献１にある通り、グリップベルトの止め具の突起部にレンズカバーを取り付けることが開示されている。
【先行技術文献】
【特許文献】
【０００４】
【特許文献１】特開平１１−２７１８３９
【発明の概要】
【発明が解決しようとする課題】
【０００５】
しかしながら、特許文献１の取り付け方法では、以下のような課題があった。
【０００６】
端子カバーはエラストマ―などの弾性部材で構成されていることが多いため、端子カバーが開状態である時、端子カバーが保持なく自由に揺れ動いてしまい品位が落ちる。また、グリップベルト通し金具と接続端子が近接しており、グリップベルトの余長部が接続端子に覆いかぶさってしまい、接続端子にプラグを挿入しにくなった。
【０００７】
そこで、本発明は上述の実情に鑑み、開状態にある端子カバーの品位を向上し、かつ、プラグの挿入性を向上した電子機器および撮像装置を提供するものである。
【課題を解決するための手段】
【０００８】
本発明の撮像装置は、複数の接続端子と、端子カバーと、撮像装置本体を把持するためのグリップベルトと、当該グリップベルトを機器本体に固定するためのグリップベルト通し金具を有する電子機器であって、前記端子カバーは突起したリブ部を有し、前記グリップベルト通し金具は穴部を有し、前記端子カバーが開状態にある時、前記リブ部は、前記グリップベルト通し金具に対して光軸方向で後方に位置し、前記穴部に対しては光軸方向に直交する方向で同一の位置にあるとともに、前記リブ部は前記穴部に挿入されて固定されることを特徴とする。
【発明の効果】
【０００９】
本発明に係る撮像装置は、開状態にある端子カバーの品位向上とプラグ挿入性を向上することができる。
【図面の簡単な説明】
【００１０】
【図１】（ａ）本発明の実施例に係る撮像装置本体の外観を説明する外観図である。（ｂ）本発明の実施例に係る端子カバーを省略した外観図である。
【図２】本発明の実施例に係る撮像装置のグリップベルト通し金具で端子カバーを保持した外観図である。
【図３】本発明の実施例に係る撮像装置の端子カバーの外観図である。
【図４】本発明の実施例に係る撮像装置の圧入リブ部の拡大図である。
【図５】本発明の実施例に係る撮像装置の端子カバーの回転規制を説明するための外観図である。
【図６】（ａ）本発明の実施例に係る撮像装置の端子カバーの圧入リブ部と立ち壁部と外装面の関係を説明するための外観図である。（ｂ）本発明の実施例に係る撮像装置の端子カバーの圧入リブ部と立ち壁部と外装面の関係を説明するための断面図である。
【図７】（ａ）本発明の実施例に係る撮像装置の端子カバーにケーブルを引っかけた外観図である。（ｂ）本発明の実施例に係る撮像装置の端子カバーにケーブルを引っかけた外観図である。
【図８】図７（ａ）のＡ−Ａ断面図である。
【図９】本発明の実施例に係る撮像装置の端子カバーを閉めた状態の端子カバーのリブ部と外装面の関係を説明するための断面図である。
【図１０】本発明の実施例に係る撮像装置の内部構成を示すブロック図である。
【発明を実施するための形態】
【００１１】
以下、本発明の実施の形態について、図面を参照しながら説明する。本実施形態では、電子機器としてのデジタルビデオカメラとする。しかしながら、本実施形態に係る電子機器は、デジタルビデオカメラだけでなく、デジタルカメラやデジタル一眼レフカメラなどの撮像装置に用いることが可能である。
【００１２】
図１に本発明の実施例に係る電子機器としてのデジタルビデオカメラ本体の外観を説明する外観図を示す。
【００１３】
図１（ａ）に示すように、撮像装置１０は端子カバー１、１１を有する。端子カバー１、１１は、撮像装置本体をグリップした状態でも操作者が外部機器と接続端子で接続できるように、撮像装置をグリップした際に手で覆うことがない領域に配置されている。このため、端子カバー１の近辺にベルト通し部としてのグリップベルト通し金具３、端子カバー１１の近辺にもう一方のグリップベルト通し金具１４が配置されている。なお、図１では説明の都合上グリップベルトの図を省略している。
【００１４】
図１（ｂ）に本発明の実施例に係る撮像装置本体の端子カバーを省略した外観図を示す。図１ｂに示す通り、撮像装置１０は外装面５を有し、外装面５には接続端子４ａ、４ｂ、４ｃ、４ｄを配置するために開口が設けられている。本実施形態においては、接続端子４ａはヘッドフォン端子である。接続端子４ｂはＵＳＢ端子である。接続端子４ｃはＨＤＭＩ（登録商標）端子である。そして接続端子４ｄはマイク用のＭＩＣ端子であるとする。
【００１５】
図２は、本発明の実施例に係るグリップベルト通し金具３で端子カバー１を保持した外観図である。
【００１６】
図２に示すように、腕部１ｂを中心として指かけ部１ｃに力を加えることで、端子カバー１が回転して開く（以下、この状態を開状態とする）。また、端子カバー１には突起した圧入リブ部１ａが備えられている。端子カバー１が開状態の場合、圧入リブ部１ａはグリップベルト通し金具３に対して光軸方向で後方に位置する。そして圧入リブ部１ａはグリップベルト通し金具３の穴部３ａに対しては光軸方向に直交する方向でほぼ同一の位置にある。よって、圧入リブ部１ａの先端はグリップベルト通し金具３の穴部３ａにおける幅Ａ′に圧入することが可能である。このように圧入リブ部１ａの先端をグリップベルト通し金具３の穴部３ａに圧入することで、端子カバー１を固定することができる（以下、この状態を開保持状態とする）。
【００１７】
図３に本発明の実施例に係る端子カバー１の外観図を示す。端子カバー１は圧入リブ部１ａ、腕部１ｂ、指かけ部１ｃ、およびグリップベルト抑え部１ｄを備える。
【００１８】
図４に本発明の実施例に係る圧入リブ部１ａの拡大図を示す。以下、図４を用いて本発明の実施例に係る圧入リブ部１ａの形状を説明する。
【００１９】
圧入リブ部１ａの幅をＡ、底面をＢ、位置をＣ、立ち壁面をＤ、上面をＥ、先端の面をＦとする。幅Ａはグリップベルト通し金具３の穴部３ａの穴幅Ａ′より広くなっている。これは、圧入リブ部１ａはグリップベルト通し金具３の穴部３ａへ圧入される構成であるためである。
【００２０】
また、図３に示した通り、圧入リブ部１ａはグリップベルト６により上方へ押し上げられる構成となっている。底面Ｂはグリップベルト６と当接し、圧入リブ部１ａを押し上げグリップベルト通し金具３にチャージさせることで、圧入リブ部１ａが抜けにくくなるようにする役割を果たしている。
【００２１】
また、図２に示す通り、本実施例においては、端子カバー１はグリップベルト６の余長を抑えつける構成となっている。このため、圧入リブ部１ａの位置Ｃは、圧入リブ部１ａをグリップベルト通し金具３の穴部３ａへ圧入した時に、端子カバー１のグリップ抑え部１ｄがグリップベルト６の余長を抑えつけられる位置になるよう配置されている。つまり、端子カバー１が開保持状態の場合、グリップベルト６の余長部６ａは端子カバー１のグリップベルト抑え部１ｄで抑えつけられる。このため、接続端子５に余長部６ａが覆いかぶさることがなく、接続端子５にプラグを挿入しやすい。
【００２２】
図５に本発明の実施例に係る端子カバーの回転規制を説明するための外観図を示す。
【００２３】
図５に示した通り、端子カバー１を開いて、圧入リブ部１ａにより端子カバー１がグリップベルト通し金具３で保持されている状態の時に、端子カバー１へは矢印で図示した方向へ回転する力が働いている。よって、端子カバー１の回転防止のため立ち壁面Ｄはグリップベルト通し金具３に当接する構成となっている。
【００２４】
図６（ａ）に本発明の実施例に係る端子カバーの圧入リブ部と立ち壁部と外装面の関係を説明するための外観図を示す。また図６（ｂ）に発明の実施例に係る端子カバーの圧入リブ部と立ち壁部と外装面の関係を説明するための断面図を示す。なお、図６（ａ）はグリップベルト通し金具とグリップベルトを省略している。
【００２５】
図６（ｂ）に示した通り、圧入リブ部１ａは、端子カバー１を閉めた時に圧入リブ部１ａの上面Ｅが撮像装置１０の立ち壁面７に当接または近接するように配置されている。よって端子カバー１を閉める時に、圧入リブ部１ａの上面Ｅが端子カバー１の挿入ガイドの役割を果たしている。
【００２６】
図６（ｂ）に示した通り、圧入リブ部１ａは、圧入リブ部１ａの先端の面Ｆは、端子カバー１を閉めた時に撮像装置１０の外装面８に当接または近接するように配置されている。よって端子カバー１を閉めた状態で、外側から端子カバー１を押した際に、圧入リブ部１ａの先端の面Ｆが外装面８に当たり、端子カバー１が動くことがない。つまり先端の面Ｆが静圧受けの役割を果たしている。
【００２７】
図７は、本発明の実施例に係る端子カバー１にケーブル９を引っかけた外観図を示す。本実施形態においては、図７（ａ）、（ｂ）に示したような２通りの引っかけ方法が例示されている。なお、図７では、ケーブル９を端子カバー１に引っかける構成を明示するために、端子カバー１の圧入リブ部１ａとグリップベルト通し金具３の穴部３ａは省略する。図７（ａ）、（ｂ）に示すように、弾性部材で構成された端子カバー１には、複数のリブ２が配設されており、このリブ２にはケーブル９を引っかけるために切り欠き部２ａ、２ｂ、２ｃ、２ｄ、２ｅ、２ｆが設けられている。
【００２８】
図７（ａ）と（ｂ）のように、リブ２の切り欠き部の配置に対してケーブル９を複数の引っかけ方が可能である。図７（ａ）の方法においては、プラグ９ａを差し込んだ後にケーブル９を引っかける順番は、切り欠き部２ｄ、２ｃ、２ｂ、２ａ、２ｆ、そして２ｅの順である。図７（ｂ）の方法においては、プラグ９ａを接続端子４ｂ差し込んだ後にケーブルを引っかける順番は、切り欠き部２ｂ、２ｃ、２ｄ、２ｆ、そして２ｅの順である。
【００２９】
また、切り欠き２ｂ、２ｄ、２ｅは同一面のリブ２に配設されている。よって、図７（ａ）と（ｂ）のどちらの方法であってもケーブル９を一直線にならずに引っかけることができる。こうすることによって、ケーブル９が不用意に矢印方向へ引っ張られても、複数のリブ２が力を吸収し、プラグ９ａが抜けてしまうということがない。
【００３０】
なお、図７（ｂ）に示した通り、腕部１ｂにより端子カバー１は撮像装置本体とつながっており、端子カバーが抜けてしまうことがないように、腕部１ｂがストッパーの役割を果たしている。
【００３１】
図８に、本実施時例における端子カバー１を切り欠き部２ｄ、２ｄ、２ｅを通る面（図７（ａ）のＡ−Ａ直線）で切ったときの断面図を示す。なお、説明のためケーブル９は図中から省略している。ここで、切り欠き部２ｂと接続端子４ａ、切り欠き部２ｄと接続端子４ｂは光軸に直交する方向から見て重なる位置にある。このため、接続端子４ａまたは接続端子４ｂにプラグ９ａを差し込んでも、ケーブル９が曲がることなく切り欠き部２ｂまたは２ｄに引っかけることができる。
【００３２】
切り欠き部２ｂ、２ｅは径の異なる複数の円形状で切り欠かれている。以下の式で表わされる通り、端子カバー１の中心方向（切り欠き２ｄ方向）へ向かうにつれ、径が小さくなるように形成されている。
Φｄ１＞ｘ＞φｄ２＞２ｒ
ただし、ｘは開口部の大きさ、ｄ１は大円部の直径、ｄ２は本実施形態におけるケーブル９の直径、ｒは小円部の半径を表す。
【００３３】
よって太さが異なるケーブルに対しても適切に引っかけることが可能となっている。たとえばケーブル９の直径φｄ２は開口部ｘよりも小さい。よってケーブル９は切り欠き部２ｂ、２ｅに入ることができる。しかしケーブル９の直径φｄ２は小円部の直径２ｒよりも大きい。よってケーブル９を小円部側に押し込めば切り欠き部２ｂ、２ｅにひっかけることができる。
【００３４】
なお、切り欠き部２ｂ、２ｅは金型の理由でアンダーカット形状となっているが、スライド等の型構造を用いれば一体成型も可能である。
【００３５】
図９に本発明の実施例に係る端子カバーを閉めた状態の端子カバーのリブ部と外装面の関係を説明するための断面図を示す。
【００３６】
図９に示した通り、端子カバー１を閉めた時にリブ２が撮像装置の外装面５に当接または近接するように配置されている。よって端子カバー１を閉めた状態で、外側から矢印方向へ端子カバー１を押した際に、リブ２が外装面５に当たることで端子カバー１が動くことがなく、リブ２が静圧受けの役割を果たしている。
【００３７】
図１０は電子機器としてのデジタルビデオカメラの内部構成を示すブロック図である。
【００３８】
撮像装置１０は、レンズ２０、撮像素子２１、カメラ信号処理部２２、モニタ２３、レコーダ２４、電源回路２５、外部接続端子２６、制御マイコン２７、操作キー２８、画像変換回路２９を備える。撮像素子２１はレンズ２０を通って結像した被写体像を電気信号に変える。そしてカメラ信号処理部２２は撮像素子２１からの電気信号をデジタル処理する。制御マイコン２７はデジタル処理された画像をレコーダ２４に記録するとともに、モニタ２３に表示する。また、被写体像を画像変換回路２９にて変換し、外部接続端子２６を通って映像を外部モニタに表示したり、外部記録装置へデータとして転送することができる。
【００３９】
また、撮影者はモニタ２３に表示される被写体像を確認しつつ、操作キー２８を操作することが可能である。操作キー２８の操作内容を示すデータは、制御マイコン２７により具体的な処理内容を示すコマンドにブレークダウンされた後、撮像装置１０を制御する各部に供給される。
【００４０】
以上、説明したように、本発明に係る撮像装置は、端子カバーがグリップベルト通し金具で保持されることで開状態にある端子カバーの品位向上と、端子カバーがグリップベルトを抑えつけることでプラグ挿入性を向上することができる。また、接続端子に装着されたケーブルが不用意に引っ張られた際にプラグが抜けてしまうことがない。
【符号の説明】
【００４１】
１  端子カバー
１ａ  圧入リブ部
１ｂ  腕部
２ａ、２ｂ、２ｃ、２ｄ、２ｅ、２ｆ  切り欠き部
【図２】
2014202824.tif 000003
【図３】
2014202824.tif 000004
【図４】
2014202824.tif 000005
【図５】
2014202824.tif 000006
【図６】
2014202824.tif 000007
【図７】
2014202824.tif 000008
【図８】
2014202824.tif 000009
【図９】
2014202824.tif 000010
【図１０】
2014202824.tif 000011
【図１】
2014202824.tif 000012